(57)【要約】【課題】  極めて簡単な工程又は構成で、比較的短期間に、メタンガスを発生せずに、水素を主成分とするガスを有機廃棄物から分離する。【解決手段】  硫酸鉄系水溶液に有機廃棄物が分散した分散液１１が貯留槽１２に貯留され、イオン交換能を有する粘土層２４により被覆された正極板１３が貯留槽１２の内底部に敷設される。貯留槽１２に収容された負極板１４が分散液１１に浮いて設けられ、正極板１３及び負極板１４間に５〜２０Ｖの直流電圧が直流電源１６により印加される。また貯留槽１２の内底壁１７ｂが電気絶縁性を有する多孔質板により形成され、正極板１３が網状に形成される。更に負極板１４が網状に形成され、負極板１４にフロート２６が取付けられる。【選択図】  図１
2005246108.tif 000002
【特許請求の範囲】
【請求項１】
硫酸鉄系水溶液に有機廃棄物が分散した分散液(11,61)を調製する工程と、
前記分散液(11,61)に浸漬されかつイオン交換能を有する粘土層(24,74)にて被覆された正極板(13,63)と前記分散液(11,61)に浸漬されかつ前記正極板(13,63)に対向する負極板(14,64)との間に５〜２０Ｖの直流電圧を印加することにより前記分散液(11,61)から水素ガスを主成分とするガスを発生させる工程と
を含む有機廃棄物の処理方法。
【請求項２】
有機廃棄物が、農産廃棄物、畜産廃棄物、水産廃棄物、木質系廃棄物、食品加工廃棄物、製紙業廃棄物又は厨房系廃棄物である請求項１記載の有機廃棄物の処理方法。
【請求項３】
正極板(13,63)と負極板(14,64)との間に直流電圧を印加するときに、分散液(11,61)を２０〜６０℃に保持する請求項１記載の有機廃棄物の処理方法。
【請求項４】
硫酸鉄系水溶液に有機廃棄物が分散した分散液(11,61)を貯留する貯留槽(12,52)と、
イオン交換能を有する粘土層(24,74)により被覆され前記貯留槽(12,52)の内底部に敷設された正極板(13,63)と、
前記貯留槽(12,52)に収容され前記分散液(11,61)に浮いて設けられた負極板(14,64)と、
前記正極板(13,63)及び前記負極板(14,64)間に５〜２０Ｖの直流電圧を印加する直流電源(16,76)と
を備えた有機廃棄物の処理装置。
【請求項５】
貯留槽(12,52)の内底壁(17b,53b)が電気絶縁性を有する多孔質板により形成され、正極板(13,63)が網状に形成された請求項４記載の有機廃棄物の処理装置。
【請求項６】
負極板(14,64)が網状に形成されかつ前記負極板(14,64)にフロート(26,66)が取付けられた請求項４記載の有機廃棄物の処理装置。
【請求項７】
有機廃棄物が、農産廃棄物、畜産廃棄物、水産廃棄物、木質系廃棄物、食品加工廃棄物、製紙業廃棄物又は厨房系廃棄物である請求項４記載の有機廃棄物の処理装置。
【請求項８】
貯留槽(12,52)内の分散液(11,61)を２０〜６０℃に保持する温度調節手段(21)を更に備えた請求項４記載の有機廃棄物の処理装置。
【発明の詳細な説明】
【技術分野】
【０００１】
本発明は、畜産廃棄物や厨房系廃棄物等の有機廃棄物を処理する方法及び装置に関するものである。
【背景技術】
【０００２】
従来、ニッケル、コバルト又は鉄を担持する炭化水素類分解触媒を収納した反応容器に、メタン等の炭化水素類を導入して加熱し、炭化水素類を分解して水素を発生させる水素製造ステップと、この水素製造ステップで生成した水素を含むガスを、金属酸化物を収納したカセットに導入して加熱する還元ステップとからなる炭化水素類の分解方法（例えば、特許文献１参照。）が開示されている。この炭化水素類の分解方法では、還元ステップから排出したガスをクローズ状態で水素製造ステップへ還流して、水素製造ステップと還元ステップとを繰返すように構成される。
このように構成された炭化水素類の分解方法では、水素製造ステップにおいてメタン等の炭化水素類を分解することにより、発生した水素を用いて、還元ステップにおいて金属酸化物を還元する。この還元された金属酸化物は水又は水蒸気により酸化することにより純粋な水素を供給するので、水素を必要とする装置への水素の供給源として使用できるようになっている。
【特許文献１】国際公開番号ＷＯ２００１／０９６２３３号（請求項１、第８頁）
【発明の開示】
【発明が解決しようとする課題】
【０００３】
しかし、上記従来の特許文献１に示された炭化水素類の分解方法では、有機廃棄物を発酵させてメタンガス等の炭化水素類を生成する必要があり、このメタン発酵に２５日程度と極めて長期間を要する問題点があった。
本発明の第１の目的は、極めて簡単な工程又は構成で、比較的短期間に、メタンガスを発生せずに、水素を主成分とするガスを有機廃棄物から分離できる、有機廃棄物の処理方法及びその処理装置を提供することにある。
本発明の第２の目的は、貯留槽内の分散液が減少しても、分散液中の有機廃棄物の分解効率を低下させない、有機廃棄物の処理方法及びその処理装置を提供することにある。
本発明の第３の目的は、水素ガスを主成分とするガスが分離して分散液中に残った水を主成分とする液体を速やかに排出でき、また分散液から分離した水素ガスを主成分とするガスを負極板を通って分散液の上方に速やかに分離できる、有機廃棄物の処理方法及びその処理装置を提供することにある。
【課題を解決するための手段】
【０００４】
請求項１に係る発明は、図１に示すように、硫酸鉄系水溶液に有機廃棄物が分散した分散液１１を調製する工程と、この分散液１１に浸漬されかつイオン交換能を有する粘土層２４にて被覆された正極板１３と上記分散液１１に浸漬されかつ正極板１３に対向する負極板１４との間に５〜２０Ｖの直流電圧を印加することにより分散液１１から水素ガスを主成分とするガスを発生させる工程とを含む有機廃棄物の処理方法である。
この請求項１に記載された有機廃棄物の処理方法では、正極板１３及び負極板１４間に５〜２０Ｖの直流電圧を印加すると、硫酸鉄系水溶液中の鉄イオンを含む金属イオンが分散液１１中の有機廃棄物の電解を促進するとともに、粘土層２４が分散液１１中の有機廃棄物の分解を促進するので、メタンガスが発生することなく、水素を主成分とするガスを分散液１１中の有機廃棄物から直接分離できる。また水素ガスを主成分とするガスが分離して分散液１１中に残った有機物は粘土層２４に吸着される。
また正極板１３と負極板１４との間に直流電圧を印加するときに、分散液１１を２０〜６０℃に保持すると、有機廃棄物の分解がより一層促進され、好ましい。
【０００５】
請求項４に係る発明は、図１に示すように、硫酸鉄系水溶液に有機廃棄物が分散した分散液１１を貯留する貯留槽１２と、イオン交換能を有する粘土層２４により被覆され貯留槽１２の内底部に敷設された正極板１３と、貯留槽１２に収容され分散液１１に浮いて設けられた負極板１４と、正極板１３及び負極板１４間に５〜２０Ｖの直流電圧を印加する直流電源１６とを備えた有機廃棄物の処理装置である。
この請求項４に記載された有機廃棄物の処理装置では、正極板１３及び負極板１４間に５〜２０Ｖの直流電圧を印加すると、硫酸鉄系水溶液中の鉄イオンを含む金属イオンが分散液１１中の有機廃棄物の電解を促進するとともに、粘土層２４が分散液１１中の有機廃棄物の分解を促進するので、メタンガスが発生することなく、水素を主成分とするガスが分散液１１の上方に分離される。また水素ガスを主成分とするガスが分離して分散液１１中に残った有機物は粘土層２４に吸着される。更に貯留槽１２内の分散液１１が減少しても、正極板１３及び負極板１４の分散液１１への接触面積が変化しないため、有機廃棄物の分解効率は低下しない。
【０００６】
請求項５に係る発明は、請求項４に係る発明であって、更に図１に示すように、貯留槽１２の内底壁１７ｂが電気絶縁性を有する多孔質板により形成され、正極板１３が網状に形成されたことを特徴とする。
この請求項５に記載された有機廃棄物の処理装置では、水素ガスを主成分とするガスが分離して分散液１１中に残った水を主成分とする液体が粘土層２４、正極板１３、粘土層２４及び内底壁１７ｂを通って排出される。
請求項６に係る発明は、請求項４に係る発明であって、更に図１に示すように、負極板１４が網状に形成されかつ負極板１４にフロート２６が取付けられたことを特徴とする。
この請求項６に記載された有機廃棄物の処理装置では、負極板１４が網状に形成されているので、分散液１１から分離した水素ガスを主成分とするガスが負極板１４を通って分散液１１の上方に速やかに分離する。
また貯留槽１２内の分散液１１が温度調節手段２１により２０〜６０℃に保持されると、有機廃棄物の分解がより一層促進され、好ましい。
【発明の効果】
【０００７】
以上述べたように、本発明によれば、硫酸鉄系水溶液に有機廃棄物が分散した分散液を調製し、分散液に浸漬されかつイオン交換能を有する粘土層にて被覆された正極板と分散液に浸漬されかつ正極板に対向する負極板との間に５〜２０Ｖの直流電圧を印加することにより分散液から水素ガスを主成分とするガスを発生させたので、極めて簡単な工程で比較的短期間に、メタンガスが発生することなく、水素を主成分とするガスを分散液中の有機廃棄物から直接分離できる。また水素ガスを主成分とするガスが分離して分散液中に残った有機物は粘土層に吸着されるので、この有機物を吸着した粘土は有機肥料として再利用できる。
【０００８】
また硫酸鉄系水溶液に有機廃棄物が分散した分散液を貯留槽に貯留し、イオン交換能を有する粘土層により被覆された正極板を貯留槽の内底部に敷設し、貯留槽に収容された負極板を分散液に浮いて設け、更に正極板及び負極板間に５〜２０Ｖの直流電圧を直流電源により印加すれば、硫酸鉄系水溶液中の鉄イオンを含む金属イオンが分散液中の有機廃棄物の電解を促進するとともに、粘土層が分散液中の有機廃棄物の分解を促進するので、極めて簡単な構成で比較的短期間に、メタンガスが発生することなく、水素を主成分とするガスを分散液の上方に分離できる。また水素ガスを主成分とするガスが分離して分散液中に残った有機物は粘土層に吸着されるので、上記と同様に、この有機物を吸着した粘土は有機肥料として再利用できる。また貯留槽内の分散液が減少しても、正極板及び負極板の分散液への接触面積が変化しないため、有機廃棄物の分解効率は低下しない。
【０００９】
また貯留槽の内底壁を電気絶縁性の多孔質板により形成し、正極板を網状に形成すれば、水素ガスを主成分とするガスが分離して分散液中に残った水を主成分とする液体が粘土層、正極板、粘土層及び内底壁を通って排出される。この水を主成分とする液体は生物化学的酸素要求量（ＢＯＤ）が少ないので、比較的簡単な処理を行うだけで河川に排水でき、環境汚染を防止できる。更に負極板を網状に形成しかつ負極板にフロートを取付ければ、分散液から分離した水素ガスを主成分とするガスが負極板を通って分散液の上方に速やかに分離できる。
【発明を実施するための最良の形態】
【００１０】
次に本発明を実施するための最良の形態を図面に基づいて説明する。
図１に示すように、有機廃棄物の処理装置１０は、硫酸鉄系水溶液に有機廃棄物が分散した分散液１１を貯留する貯留槽１２と、貯留槽１２の内底部に敷設された正極板１３と、貯留槽１２に収容された負極板１４と、正極板１３及び負極板１４間に所定の直流電圧を印加する直流電源１６とを備える。有機廃棄物としては、農産廃棄物、畜産廃棄物、水産廃棄物、木質系廃棄物、食品加工廃棄物、製紙業廃棄物、厨房系廃棄物が挙げられる。ここで、農産廃棄物とは、農業や農産物の収穫、集荷、加工などから排出される、わら類、籾殻、ぬか、とうもろこし屑、種子殻、澱粉粕、植物油粕、余剰根菜類等である。畜産廃棄物とは、畜産業や畜産業の加工などから排出される、牛、豚、馬、鶏等の家畜や家禽の糞尿、内臓、解体残渣等である。水産廃棄物とは、水産業、水産物の加工、鮮魚店などから排出される、魚類内蔵やひれなどのあら、魚介類加工屑、海草屑等である。木質系廃棄物とは、林業、木材加工業、木造家屋の解体などから排出される、おが屑、樹皮、のこ屑、かんな屑、廃木材等である。食品加工廃棄物とは、食品加工、食品製造、食品流通などから排出される、おから、廃食用油、賞味期限切れ食品、醸造粕、発酵粕等である。製紙業廃棄物とは、製紙、パルプ業などから排出される、黒液（チップ蒸解工程より排出される脱リグニン用アルカリ液）、パルプ廃液、セルロース排液等である。厨房系廃棄物とは、家庭の台所やレストランの厨房などから排出される、種々の食品の混合した生ゴミである。また硫酸鉄系水溶液としては、硫酸第一鉄（ＦｅＳＯ4）、硫酸第二鉄（Ｆｅ2（ＳＯ4）3）、硫酸第二鉄を主とする鉄錯体に対して硫酸第一鉄と硫酸マグネシウムを配合した水溶液（以下、鉄錯体系水溶液という）等を用いることが好ましい。なお、上記有機廃棄物が固形である場合には、平均粒径０．５〜１ｍｍ程度に細かく粉砕した後に、硫酸鉄系水溶液に分散される。
【００１１】
一方、貯留槽１２は、底壁１７ａ、内底壁１７ｂ及び側壁１７ｃからなる槽本体１７と、槽本体１７の上面開口部１７ｄを開放可能に閉止する蓋体１８とを有する。底壁１７ａ及び側壁１７ｃは液密を保つように形成され、貯留槽１２の側壁１７ｃ及び内底壁１７ｂは電気絶縁性を有し、内底壁１７ｂはアルミナ、ムライト、炭化ケイ素、窒化ケイ素等のセラミック等の多孔質板により形成される。この内底壁１７ｂは、気孔率が１５〜２５％であって、表面から裏面に連通する連続的多孔質に形成される。内底壁１７ｂの気孔率を１５〜２５％の範囲に限定したには、１５％未満では分散液の透過率が少な過ぎ、２５％を越えると濾過材としての強度が低下するとともに、分散液の保水性が低下するからである。蓋体１８は気密を保つように槽本体１７の上面開口部１７ｄを閉止するように構成される。また底壁１７ａは一方から他方に向って次第に低くなる傾斜壁であり、底壁１７ａの他方に接続される側壁１７ｃ下部には排液パイプ１９の一端が接続される。排液パイプ１９の他端は排液処理装置（図示せず）に接続される。また側壁１７ｃの壁内には、貯留槽１２に貯留された分散液１１を２０〜６０℃、好ましくは３０〜５５℃に保持するヒータ２１ａが設けられ、このヒータ２１ａは上記分散液１１の温度を検出する温度センサ（図示せず）の検出出力に基づいてコントローラ（図示せず）によりオンオフ制御される。上記ヒータ２１ａ、温度センサ及びコントローラにより温度調節手段２１が構成される。ここで、分散液１１の温度を２０〜６０℃の範囲に限定したのは、本発明による有機廃棄物が化学反応であるため、２０℃未満では分散液１１中の有機廃棄物の分解効率が大きく低下し、６０℃を越えるとタンパク質の変性が起こり有機廃棄物の分解効率が低下するからである。蓋体１８には排気パイプ２２の一端が接続され、この排気パイプ２２の他端はガス処理装置（図示せず）に接続される。また蓋体１８にはこの蓋体１８上面に対して所定の角度で減速機付モータ２３ａが取付けられ、この減速機付モータ２３ａの出力軸には蓋体１８を貫通して貯留槽１２内の分散液１１中に挿入される撹拌軸２３ｂが連結され、撹拌軸２３ｂの下端には分散液１１を撹拌するための撹拌羽根２３ｃが固着される。減速機付モータ２３ａ、撹拌軸２３ｂ及び撹拌羽根２３ｃにより撹拌装置２３が構成される。
【００１２】
正極板１３は、線径３〜５ｍｍの鉄線を用いて目開き２０〜５０ｍｍの網状に形成されることが好ましい。またイオン交換能を有する粘土層２４としては、ベントナイト、バーミキュライト、ゼオライト等が挙げられ、粘土層２４の厚さは１０〜２０ｍｍであることが好ましい。負極板１４も、正極板１３と同様に、線径３〜５ｍｍの鉄線を用いて目開き２０〜５０ｍｍの網状に形成されることが好ましい。この負極板１４の周囲にはフロート２６が取付けられ、このフロート２６の浮力により負極板１４が分散液１１に浮くように構成される。ここで、正極板１３及び負極板１４の鉄線の線径を３〜５ｍｍの範囲に限定したのは、３ｍｍ未満では電極の消耗が激しく、５ｍｍを越えると貯留槽１２内の分散液１１の対流が低下するからである。また正極板１３及び負極板１４の網の目開きを２０〜５０ｍｍの範囲に限定したのは、２０ｍｍ未満では貯留槽１２内の分散液１１の対流が低下し、５０ｍｍを越えると電流が低下するからである。更に粘土層２４の厚さを１０〜２０ｍｍの範囲に限定したのは、１０ｍｍ未満では正極板１３から剥がれかつ正極板６３を露出させるおそれがあり、２０ｍｍを越えると分散液１１が浸透し難くなりかつ水素を主成分とするガスが分離して分散液１１中に残った有機物の吸着効率が低下するからである。正極板１３及び負極板１４間には、直流電源１６により５〜２０Ｖ、好ましくは５〜１０Ｖの直流電圧が印加される。直流電源１６は５〜２０Ｖ、好ましくは５〜１０Ｖの範囲で無段階に又は段階的に直流電圧を調整可能に構成される。ここで、正極板１３及び負極板１４間に印加される直流電圧を５〜２０Ｖの範囲に限定したのは、５Ｖ未満では分散液１１中の有機廃棄物の分解効率が低下し、２０Ｖを越えると発熱作用による電力ロスが発生するからである。
【００１３】
このように構成された有機廃棄物の処理装置１０の動作を説明する。
先ず硫酸鉄系水溶液に有機廃棄物が分散した分散液１１を調製し、この分散液１１を貯留槽１２に貯留した後に、槽本体１７の上面開口部１７ｄを蓋体１８により気密を保つように閉止する。この貯留槽１２に貯留された分散液１１は温度調節手段２１により２０〜６０℃、好ましくは３０〜５５℃の範囲の所定の温度に調節されるとともに、撹拌装置２３により撹拌される。次に正極板１３と負極板１４との間に５〜２０Ｖ、好ましくは５〜１０Ｖの直流電圧を印加する。これにより硫酸鉄系水溶液中の鉄イオンを含む金属イオンが分散液１１中の有機廃棄物の電解を促進するとともに、粘土層２４が分散液１１中の有機廃棄物の分解を促進するので、比較的短期間に、メタンガスが発生することなく、水素を主成分とするガスが負極板１４の網目を通って分散液１１の上方に分離される。このガスは排気パイプ２２を通ってガス処理装置に送られる。このガスには、７０〜９０体積％のＨ2と、２〜４体積％のＣＯ2と、僅かなＨ2Ｓ、ＮＨ3等が含まれる。排ガス処理装置では、図示しないが、Ｈ2、ＣＯ2、Ｈ2Ｓ、ＮＨ3等を含むガスと消石灰水溶液又は消石灰分散液とを混合して反応させることにより、ＣａＳ、ＣａＣＯ3又はＮＨ4ＯＨを主成分とする副生物を生成する。この結果、上記ガスは高純度（純度９８％以上）のＨ2に精製されるので、燃料として再利用できる。
【００１４】
また貯留槽１２内の分散液１１が減少しても、正極板１３及び負極板１４の分散液１１への接触面積が変化しないため、有機廃棄物の分解効率は低下せず、常に一定に保つことができる。また水素ガスを主成分とするガスが分離して分散液１１中に残った水を主成分とする液体は、粘土層、正極板、粘土層及び内底壁を通って排出される。この水を主成分とする液体は生物化学的酸素要求量（ＢＯＤ）が少ないので、比較的簡単な構成の排液処理装置で処理しただけで河川に流すことができ、環境汚染を防止できる。更に水素ガスを主成分とするガスが分離して分散液１１中に残った有機物は粘土層２４に吸着されるので、粘土層２４に所定量以上の有機物が吸着されたときに、この有機物を粘土層２４とともに正極板１３から剥がして乾燥することにより、有機肥料として再利用できる。
【実施例】
【００１５】
次に本発明の実施例を比較例とともに詳しく説明する。
＜実施例１＞
図２に示すように、インナ貯留槽５３とアウタ貯留槽５４を有する２重構造の貯留槽５２を用いて有機廃棄物の処理を行った。インナ貯留槽５３は、液密を保つ内側壁５３ａと、多孔質のセラミック板により形成され内側壁５３ａの下面開口部を閉止する内底壁５３ｂとを有する。この内底壁５３ｂは気孔率２３％の連通孔を有する。アウタ貯留槽５４は、外底壁５４ｂ及び外側壁５４ｃにより構成される外槽本体５４ａと、この外槽本体５４ａの上面開口部を開放可能に閉止する蓋体５４ｄとを有する。外底壁５４ｂ及び外側壁５４ｃは液密を保つように構成され、蓋体５４ｄは気密を保つように外槽本体５４ａの上面開口部を閉止するように構成される。インナ貯留槽５３の縦、横及び高さは内のり寸法で１７０ｍｍ、３００ｍｍ及び２３０ｍｍであり、アウタ貯留槽５４の縦、横及び高さは内のり寸法で２４０ｍｍ、３８５ｍｍ及び２６５ｍｍであった。また外底壁５４ｂには排液パイプ５５の一端を接続し、排液タイプ５５の他端を排液貯留槽５６に接続した。蓋体５４ｄには排気パイプ５７の一端を接続し、排気パイプ５７の他端をガス充填袋５８に接続した。更にインナ貯留槽５３には、両面が厚さ２０ｍｍの粘土層７４により被覆された正極板６３を敷設した。なお、正極板６３は、線径３ｍｍの鉄線を用いて目開き２５ｍｍの網を縦及び横が２８０ｍｍ及び１５０ｍｍである長方形状に形成した。また粘土層７４はベントナイトからなるイオン交換能を有する粘土を正極板６３に塗付けて形成した。更にインナ貯留槽５３の内底壁５３ｂをアウタ貯留槽５４の底壁５４ｂから離して内底壁５３ｂを通過する水分の浸透性を良好にするために、底壁５４ｂ及び内底壁５３ｂ間に複数の角状部材５９を介装した。
【００１６】
一方、有機廃棄物である生ゴミの粉砕物３ｋｇと、水２．６リットルと、鉄錯体系水溶液（硫酸鉄系水溶液）０．００３リットルとを混合して分散体６１を調製し、この分散体６１をインナ貯留槽５３に貯留した。この分散体６１に負極板６４を浮かせた。負極板６４は、線径３ｍｍの鉄線を用いて目開き２５ｍｍの網を縦及び横が２８０ｍｍ及び１５０ｍｍである長方形状に形成した。また負極板６４の周囲にはフロート６６を取付けた後に、外槽本体５４ａの上面開口部を蓋体５４ｄにより閉止した。次に分散液６１を撹拌装置（図示せず）により撹拌し、かつ分散液６１の温度を温度調節手段（図示せず）にて５５℃に保った状態で、直流電源７６を用いて正極板６３及び負極板６４間に１０Ｖの直流電圧を印加した。
【００１７】
＜実施例２＞
有機廃棄物として生ゴミの粉砕物１．６ｋｇと、牛糞０．２ｋｇと、牛尿１．２ｋｇと、水０．５ｋｇと、鉄錯体系水溶液（硫酸鉄系水溶液）０．００３リットルとを混合して分散体を調製した。この分散体を実施例１と同一の装置のインナ貯留槽に貯留した状態で、直流電源を用いて正極板及び負極板間に１０Ｖの直流電圧を印加した。
＜比較例１＞
有機廃棄物として生ゴミの粉砕物１．６ｋｇと、牛糞０．２ｋｇと、牛尿１．２ｋｇと、水０．５ｋｇとを混合して分散体を調製した。この分散体を実施例１と同一の装置のインナ貯留槽に貯留した。但し、正極板及び負極板間に直流電圧を印加しなかった。
【００１８】
＜比較試験及び評価＞
実施例１の分散体をインナ貯留槽に貯留した状態で正極板及び負極板間に１０Ｖの直流電圧を９１時間印加した後と、実施例２の分散体をインナ貯留槽に貯留した状態で正極板及び負極板間に１０Ｖの直流電圧を１８２時間印加した後と、比較例１の水をインナ貯留槽に貯留した状態で２０日間放置した後における、ガス充填袋に貯まったガスの発生割合と、そのガスの成分及び量を調べた。その結果を表１に示す。ガスの発生割合は、ガス充填袋に貯まったガスの処理物（生ゴミ、牛の糞尿、水）に対する体積割合である。
【００１９】
【表１】
2005246108.tif 000003
【００２０】
表１から明らかなように、比較例１ではガス発生量が１６倍と少なかったのに対し、実施例１及び２では２３倍及び２１倍と多かった。また比較例１ではＣＨ4ガスが５８．５体積％と比較的多く発生したけれども、Ｈ2ガスが全く発生しなかったのに対し、実施例１及び２ではＣＨ4ガスが０．０７体積％及び０．０５体積％と極めて少なかったけれども、Ｈ2ガスが８６．８４体積％及び７１．８８体積％と極めて多く発生した。この結果、実施例ではＣＨ4ガスを殆ど発生させずに、Ｈ2ガスを直接発生できることが判った。
【図面の簡単な説明】
【００２１】
【図１】本発明実施形態の有機廃棄物の処理装置を示す断面構成図である。
【図２】実施例１の有機廃棄物の処理装置を示す断面構成図である。
【符号の説明】
【００２２】
１０  有機廃棄物の処理装置
１１，６１  分散液
１２，５２  貯留槽
１３，６３  正極板
１４，６４  負極板
１６，７６  直流電源
１７ｂ，５３ｂ  内底壁
２１  温度調節手段
２４，７４  粘土層
２６，６６  フロート
【図１】
2005246108.tif 000004
【図２】
2005246108.tif 000005